(57)【特許請求の範囲】
【請求項１】
眼球内部に挿入され、眼球内の膜を拘束し、かつ選択的に除去するためにサイズ調整可能に形成された、顕微鏡手術のアプリケーションのための内境界膜掻集器具において、
開口部を有する膜掻集器具本体と、
前記膜掻集器具本体の開口部内で摺動可能な摺動部材と、
前記摺動部材を伸張させたときに互いに広がり、前記摺動部材を前記膜掻集器具本体の前記開口部内へ収納させたときに互いに引き込まれるように、前記摺動部材に取り付けられ、前記膜掻集器具本体の前記開口部を通る前記摺動部材によって伸張可能な複数の歯と、
を備え、
前記複数の歯のそれぞれは、伸張方向に伸張する少なくとも１つの組織拘束要素を有し、
前記少なくとも１つの組織拘束要素は、眼の網膜の外側の表面から膜を除去するために形成される組織拘束特性を有し、
前記組織拘束特性は、少なくとも１つの棘から構成され、
複数の前記組織拘束要素の前記伸張方向は、前記複数の組織拘束要素によって一方向から網膜の外部表面を同時に拘束するように形成され、
前記複数の歯は、前記眼の網膜の外表面から除去する膜をしっかり保持するように形成されることを特徴とする内境界膜掻集器具。
【請求項２】
請求項１に記載の内境界膜掻集器具において、
前記膜掻集器具本体は、楕円、矩形、台形又は半球のいずれか１つの断面形状からなることを特徴とする内境界膜掻集器具。
【請求項３】
請求項１に記載の内境界膜掻集器具において、
前記複数の歯のそれぞれは可撓性であるとともに、前記膜掻集器具本体から前記摺動部材が伸張すればするほど屈折する度合いが大きくなることを特徴とする内境界膜掻集器具。
【請求項４】
請求項１に記載の内境界膜掻集器具において、
前記複数の歯のそれぞれは、前記複数の歯が前記膜掻集器具本体に対して完全に伸張した状態で、かつ前記網膜の外表面を拘束しないときに、前記膜掻集器具本体の長手の軸に対して、一平面内で、かつ略放射方向に隣接する歯から離れるように伸張することを特徴とする内境界膜掻集器具。
【請求項５】
請求項１に記載の内境界膜掻集器具において、
前記少なくとも１つの組織拘束要素は、湾曲形状からなることを特徴とする内境界膜掻集器具。
【請求項６】
眼球内部に挿入され、眼球内の膜を拘束し、選択的に除去するためにサイズ調整可能に形成された、顕微鏡手術のアプリケーションのための内境界膜掻集器具において、
開口部を有する膜掻集器具本体と、
前記膜掻集器具本体の開口部内で摺動可能な摺動部材と、
前記摺動部材を伸張させたときに互いに広がり、前記摺動部材を前記膜掻集器具本体の開口部内へ収納させたときに互いに引き込まれるように、前記摺動部材に取り付けられ、前記膜掻集器具本体の前記開口部を通る前記摺動部材によって伸張可能な複数の歯と、
を備え、
前記複数の歯のそれぞれは、伸張方向に伸張する少なくとも１つの組織拘束要素を有し、
前記少なくとも１つの組織拘束要素は、眼の網膜の外表面から膜を除去するために形成される組織拘束特性を有し、
前記組織拘束特性は、鋸歯状の端部からなり、
複数の前記組織拘束要素の前記伸張方向は、前記複数の組織拘束要素によって一方向から網膜の外表面を同時に拘束するように形成され、
前記複数の歯は、前記眼の網膜の外表面から除去する膜をしっかり保持するように形成されることを特徴とする内境界膜掻集器具。
【請求項７】
眼球内部に挿入され、眼球内の膜を拘束し、選択的に除去するためにサイズ調整可能に形成された、眼球の網膜の一部を除去するための顕微鏡手術に使用される膜掻集器具において、
本体部と、
複数の歯が取り付けられ、該複数の歯のそれぞれが伸張方向を有する、前記本体部内で可動な歯伸張機構と、
を備え、
前記複数の歯は、前記本体部から伸張可能であり、
前記複数の歯は、前記本体部から完全に伸張したときに、前記複数の歯が延出方向で同一平面内に収まるように放射状に広がり、前記本体部に対する前記歯伸張機構の動きにより前記複数の歯の広がりが変化するように形成され、
前記複数の歯のそれぞれが、その伸張方向が前記網膜の表面に対して規定されることで前記網膜の表面の膜を拘束するような伸張方向に伸張された鋭い棘を有し、
前記複数の歯は、前記網膜の外表面から除去する膜をしっかり保持するように形成されることを特徴とする膜掻集器具。
【請求項８】
請求項７に記載の膜掻集器具において、
前記本体部は、開口部を有し、
前記歯伸張機構は、前記開口部に摺動受容可能であることを特徴とする膜掻集器具。
【請求項９】
請求項７に記載の膜掻集器具において、
前記複数の歯は、前記本体部に収納することが可能であることを特徴とする膜掻集器具。
【請求項１０】
請求項７に記載の膜掻集器具において、
それぞれの歯の前記鋭い棘の伸張方向は、前記棘が伸張される歯の伸張方向に対してほぼ垂直に伸張されることを特徴とする膜掻集器具。
【請求項１１】
請求項７に記載の膜掻集器具において、
前記歯伸張機構は、前記本体部に対して固定位置で係止可能であることを特徴とする膜掻集器具。
【請求項１２】
請求項１１に記載の膜掻集器具において、
前記歯伸張機構は、摩擦により係止可能であることを特徴とする膜掻集器具。
【請求項１３】
請求項７に記載の膜掻集器具において、
前記複数の歯の伸張は、機械制御、液圧制御、電気機械制御のいずれか１つの制御方法によって制御されることを特徴とする膜掻集器具。
【請求項１４】
請求項９に記載の膜掻集器具において、
前記複数の歯は屈曲可能であり、前記本体部に対して伸張する度合いに応じて、屈曲の度合いが変化することを特徴とする膜掻集器具。
【請求項１５】
眼球内部に挿入され、眼球内の膜を拘束し、選択的に除去するためにサイズ調整可能に形成された顕微鏡手術用の膜掻集器具において、
開口部を有する掻集器具本体と、
前記掻集器具本体の開口部内に収納自在で、且つスライド自在な複数の歯と、
を備え、
前記複数の歯のそれぞれが、
伸張方向を有する歯の伸張と、
歯の伸張における伸張方向に対して略規定され、少なくとも１以上の鋭い棘、又は鋸歯状の端部を有する組織拘束特性と、
複数の歯が取り付けられるとともに、前記掻集器具本体から前記複数の歯が伸張された時点で前記複数の歯を幅広く分布させるために、前記複数の歯のそれぞれが該複数の歯のうちの他の歯のそれぞれから離れるように伸張し、分布する歯が眼の表面に対して規定された方向に、かつ前記眼の表面で前記複数の歯の組織拘束特性の全てにおける拘束を許容するために幅広く分布されるように形成されたスライドと、を有し、
前記複数の歯は、前記眼の外表面から除去する膜をしっかり保持するように形成されることを特徴とする膜掻集器具。
【請求項１６】
請求項１５に記載の膜掻集器具において、
前記掻集器具本体は、ハンドルからなることを特徴とする膜掻集器具。
【請求項１７】
眼球内部に挿入され、眼球内の膜を拘束し、膜の一部を選択的に除去する、眼の網膜の膜に対して使用される、顕微鏡手術用の膜掻集器具において、
ハンドルと、
複数の膜拘束エクステンションと接続され、前記ハンドル内にて受容することができるスライディングエクステンションと、
を備え、
前記複数の膜拘束エクステンションは、それぞれ、少なくとも１つの鋭い棘又は鋸歯状の端部を有するとともに、前記ハンドルから伸張可能であり、
前記膜拘束エクステンションは、互いに広がり、且つ方向付けられる前記スライディングエクステンションに取り付けられ、前記複数の膜拘束エクステンションの伸張及び広がりは前記ハンドルに対する前記スライディングエクステンションの動きによって制御可能であり、
膜を拘束したときに、前記膜拘束エクステンションは、前記目の網膜の前記膜の一部分を除去するために、接線方向の力と持ち上げる力とを引き起こすために操作可能であることを特徴とする膜掻集器具。
【請求項１８】
眼の網膜の表面から膜を顕微鏡手術的に除去する内境界膜掻集器具において、
開口部を有するハンドルと、
前記ハンドルの前記開口部内に受容することが可能なテレスコーピング摺動部材と、
前記テレスコーピング摺動部材の一端から放射方向に伸張される複数の歯と、
を備え、
前記複数の歯は、一端に少なくとも１つの組織拘束要素をそれぞれ有し、
前記少なくとも一つの組織拘束要素のそれぞれは、
長手方向を有するフレキシブルな本体部と、
少なくとも１つの鋭い棘又は鋸歯状の端部を有し、前記フレキシブルな本体部の伸張方向における前記長手方向の軸に対して略垂直に、かつ他の拘束部の少なくとも一つの伸張方向と平行に伸張する拘束部と、
を有し、
前記複数の歯は、前記目の網膜の外表面から除去する膜をしっかり保持するように形成されることを特徴とする内境界膜掻集器具。
【発明の詳細な説明】
【技術分野】
【０００１】
（関連出願の相互参照）
本発明は、本出願全体に亘って引用する、出願人の同時係属出願である２００４年１０月１５日提出の“内境界膜掻集器具”と題した米国意匠出願第２９／２１５，２５０号、および２００４年１１月３０日に提出の“内境界膜掻集器具”と題した米国仮出願第６０／６３１，５０９号の利点を主張するものである。
【０００２】
本発明は、眼の網膜の内表面上に形成された膜を除去するために使用される医療器具に関する。
【背景技術】
【０００３】
病気によっては、医療処置により取り除くべき瘢痕組織の薄膜の存在に起因するものもある。例えば、これらの処置には、網膜上膜や、恐らくは特発性網膜上膜の結果である内境界膜の剥離処置がある。これらの膜は黄斑孔を伴う場合もあり、硝子体黄斑牽引症候群では、糖尿病性網膜症、増殖性硝子体網膜症による網膜上膜の剥離、精神的ショックの後の網膜上膜の剥離や、ぶどう膜炎および眼炎などを含む眼内炎症後の網膜上膜の剥離をも伴う。
【０００４】
現在、これらの処置は、典型的に三つのタイプの医療装置のうちの一つを使用して行われる。第１のタイプは、図１（ａ）に示すように、典型的に２０から２３ゲージの寸法を有し、一端で屈曲している針２を備えた鋭利なピック１である。針２の屈曲端は、鋭利な先端３を形成しており、膜２０を拘束するために使用する。しかしながら、鋭利なピック１を使用する前に、図１（ａ）に矢印で示すように膜２０を小さく切開しなければならない場合が多い。その後、鋭利なピック１を切り口の中に挿入し、ピック１を使って網膜３０の内表面と膜２０の下側表面の間の切り口の縁部に沿って掬い上げて、図１（ｂ）に矢印で示す方向に膜２０を持ち上げようとする。
【発明の開示】
【発明が解決しようとする課題】
【０００５】
しかし、ピック１には欠点がある。特に、ピック１は、膜２０の比較的小さい領域を拘束することはできるが、同時に膜２０全体もしくは大部分を除去する場合には非常に問題がある。
【０００６】
膜２０を取り除くために現在使用されている、図２に示す第２の医療装置は、ピンセット４であり、膜２０の小さい部分を外縁に沿って、もしくはそこに作った切り口の縁部に沿って挟むために使用する。ピンセット４は、膜２０の一部を掴持して、膜２０を網膜３０から離す。ピンセット４はそのように膜２０の小さい部分を拘束するため、ピンセット４は、膜２０を一度で除去するのは難しく、膜の小片を残したままとなる危険性がある。
【０００７】
網膜を取り除くために現在使用されている、図３に示す第３の医療装置は、スクレイパ５であり、共通して、外表面上にダイヤモンド７の小片を埋め込んだ一片のシリコンチューブ６を含む。図３の矢印で示すように、チューブ６のダイヤ片７を埋め込んだ領域を膜２０の内表面に当ててこする。こする動作により、膜２０が網膜３０の表面から外れる。しかし、こする動作は、網膜３０上に下方向の圧力をかけることを余儀なくされるため、網膜３０や隣接する組織を傷つけるという重大なリスクを伴う。同様に、スクレイパ５は、膜２０のうち、小さい領域のみしか拘束できず、よって、膜２０を一度で除去するのは非常に難しく、膜の小片が残る可能性がさらに高くなる。最後に、スクレイパ５は、網膜
３０から膜２０を完全に除去するためには眼の中に別の器具（図示せず）を挿入する必要がある。
【０００８】
上記装置すなわちピック１、ピンセット４、およびスクレイパ５それぞれのさらなる欠点は、膜２０を除去するための処置の間に比較的高い拡大レベルを必要とする点である。高い拡大レベルでは、膜２０を除去しようとする際に、医療関係者が見ることができる網膜３０の面積が本質的に縮小されるため、処置を行うために必要な時間が長くなると共に、医療関係者が膜２０を一度で首尾よく除去するのがさらに難しくなる。
【課題を解決するための手段】
【０００９】
周知の医療装置における上記および他の欠点を解決するため、本発明は、膜の大きい表面積に沿って膜のいかなる領域をも拘束することができ、膜の縁部または膜に形成した切り口の縁部の拘束に限定されない膜掻集器具を提供する。さらに、膜掻集器具の構造的構成により、使用者は、周知のいかなる医療装置よりかなり大きい膜の表面積を拘束することができる。
【００１０】
さらに、本発明は、眼の網膜から膜を除去する処理を補助または完了するために膜に切り口を形成する必要も、眼に別の器具を導入する必要もない。さらに、本発明は、上記の周知の医療装置のいずれかによって網膜上にかかる圧力に比較して、膜を最初に拘束する際に網膜にかかる圧力がかなり低い。さらに、本発明が一度網膜上の膜を拘束すると、網膜から膜を除去するために本発明を使用する際に網膜にかかる接線力および揚力が比較的最小となる。
【００１１】
最後に、本発明は、周知の医療装置が使用する比較的高い拡大レベルに対して低い拡大レベルにおいて使用するため、膜除去処理の間に十分広い視野を確保できる。本発明の上記の利点および特性により、網膜から膜を除去する工程がかなり簡素化されながらにして、眼に対する損傷の危険性が大幅に低減されると共に、膜全体を一度で除去できる可能性が高くなる。
【００１２】
上記および他の利点を実現するため、本発明は、眼の網膜の内表面に形成された薄膜を除去するために構成された掻集器具を提供する。一実施形態では、掻集器具はハンドルと、手動または機械的にハンドルの内部から伸張またはハンドルの内部へ後退可能な複数の歯を備える。理想的には、ハンドルは中空の本体を有し、少なくとも１本の棘または他の類似した組織拘束機構がそれぞれの歯の先端に設けられている。
【００１３】
本発明の一実施形態によると、歯は、中空のハンドル本体の内部へ摺動して後退すると共に、摺動して中空のハンドル本体の内部から伸張する。ハンドル本体の作動端から一度伸張すると、歯は互いに離れ、外側に向かって展開する。このようにして、掻集器具は膜の表面の比較的大きい領域を拘束することができる。
【００１４】
本発明の別の実施形態では、歯は可撓性を有しており、歯の可撓性は、ハンドル本体の作業端から延在する歯の量によって異なる。歯がハンドル本体の作業端から長く延びれば延びるほど、可撓性は大きくなる。同様に、歯がハンドル本体の作業端に近ければ近いほど、すなわち、ハンドル本体の作業端から延在する歯の量が少なければ少ないほど、歯が有する可撓性は小さくなる。
【００１５】
本発明の別の局面によると、伸張した歯が一度膜の上表面を拘束すると、歯が後退し、膜を持ち上げて、少なくとも１本の棘もしくは他の組織拘束部とハンドルの作業端との間に固定する。
【００１６】
本発明のさらなる利点と新規の特徴については、下記に示す説明の中で述べると共に、それらは、下記の調査および本発明の実施による学習により、当業者にとっては明らかとなろう。
【００１７】
また、本発明の他の局面は、下記の説明および添付の図面により、より明らかとなろう。
【発明を実施するための最良の形態】
【００１８】
本発明は、膜２０の全表面に沿って膜２０のどの領域をも拘束する膜掻集器具１０を提供する。膜掻集器具１０の構造的構成により、使用者は、周知のいかなる医療装置よりも大きい膜２０の表面積を拘束することができる。さらに、本発明は、眼の網膜３０から膜２０を除去する処理を補助または完了するために、膜２０に切り口を形成する必要も、眼の中に別の器具を導入する必要もない。さらに、掻集器具１０は、上記の周知の医療装置のいずれかによって網膜にかかる圧力に比較して、始めに膜２０を拘束する際に網膜および隣接する組織にかかる圧力がかなり小さい。最終的に掻集器具１０は、周知の医療装置が使用しなければならない比較的高い拡大レベルに比較して低い拡大レベルで使用するため、膜除去処理中にかなり大きい視野を提供することができる。
【００１９】
図４は、眼の網膜３０（図６および図８〜１０）の内表面から膜２０（図６および図８〜１０）を除去するために使用する本発明の実施形態による掻集器具１０の例を示す。本実施形態の掻集器具１０は、ハンドル４０と、入れ子式の摺動部材５０を備える。ハンドル４０は、中空管を備え、その内部で、摺動部材５０がハンドル４０の内表面内で自由に伸縮する（例えば、ハンドルの長さに亘って中央開口が延在している）。好ましくは、ハンドル４０の本体は管状であるが、本発明の範囲内において、ハンドル４０の本体は、ハンドル４０の把持性を促進するものであれば、例えば、断面が楕円、矩形、台形、半球状のものなど、適したものであれば、いかなる幾何学的形状のものでもよい。
【００２０】
それぞれ一端がスライド５０に取り付けられ、反対側の端部がそこから自由に延在する多数の歯６０が、スライド５０の端部に固定されている。各歯６０の自由端には、棘もしくは他の組織拘束部７０（図５〜図６）がその上に設けられている。
【００２１】
図５の最も右側に位置する掻集器具１０のように、摺動部材５０が完全に後退すると、摺動部材５０と歯６０の長さのほとんどの部分がハンドル４０の本体内部に収容され、組織拘束部７０がハンドル４０の端部から突出した状態になる。図５の右から２番目に示す掻集器具１０のように、歯６０は、歯６０の外側端部が掻集器具１０の長手の軸から互いに離れる方向にハンドル１０から展開し、延在しているので、組織拘束部７０が互いに干渉しないように離隔される。完全に伸張すると、図５の右から３番目に示す掻集器具１０のように、歯６０は拘束可能な領域が増加するため、膜２０を除去する際に制御しやすくなる。最後に、図５の最も左側に示す掻集器具１０は、歯６０が完全に伸張した状態を示し、摺動部材５０は、ハンドル４０の本体から伸張もしくは摺動して突出する。
【００２２】
本実施形態では、ハンドル４０を超えて突出可能な歯６０の量は、歯６０が延在する側と反対側端部に位置する摺動部材５０の端部を引っ張る、または押すことによって調整できる。当業者は、伸張および展開する歯を組み込んだ本発明の実施形態では、このような伸張および展開する歯を実現する別の構成も適用可能であることは理解できよう。例えば、歯は、摺動部材を使用せずにハンドルから後退または伸張させるようにすることもできる。さらに、図５の伸張部材５０およびハンドル４０の相対的位置は、摺動部材５０とハンドル４０の間の単純な摩擦契合によって維持することができる一方、機械的機構、液圧機構、電気機械的機構などを含む、開口部の内部のロッキングピン、ネジ止め、溝穴に係合するクリップのような他の構成によって相対位置を維持することも可能である。
【００２３】
図６を参照すると、本発明の一実施形態において、組織拘束部７０は、それぞれの歯６０の自由端から延在する複数の鋸状の棘７１を有している。図６に示すように、それぞれの組織拘束部７０は、横方向延在部７０ｂによって拘束部７０ｃに連結された可撓性本体部７０ａを有する。完全に後退した状態で、横方向延在部７０ｂは掻集器具１０の長手方向の軸に対して直交して延在する。さらに、完全に後退した状態で、拘束部７０ｃは、掻集器具１０の長手方向の軸に対して平行かつ摺動部材５０がハンドル４０の本体から離れる方向に伸張するのとは逆の方向に延在する。また、図６に示すように、少なくとも１つ、また、好ましくは複数の棘７１が歯６０のそれぞれの拘束部７０ｃの自由端上に設けられている。さらに、図６の実施形態では、組織拘束部７０は、膜２０の表面との摩擦もしくは他の把持拘束を高めるための鋸状端部を備えていてもよい。
【００２４】
図６は、尖った、もしくは鋸状の本体を有する棘７１を示すが、本発明の範囲内において、棘７１は、網膜３０から膜２０を把持して持ち上げやすければ、いかなる適した幾何学的形状を有するものでもよい。例えば、考えられる別の態様（図示せず）として、図６の実施形態の組織拘束部７０は、鋸状でなく、むしろ、鋭利な縁部であって鋸形状を有さないものでもよい。また、さらに別の例では、図７は本発明の別の実施形態を示すものであり、組織拘束部７０′が湾曲している。
【００２５】
図８に示すように、膜２０を拘束する際、組織拘束部７０および７０′は、接線力および揚力を生成して膜２０を除去し、矢印で示すように網膜３０にかかる下方向の圧力を軽減する。歯６０のハンドル４０からの伸張およびハンドル４０内への後退と組織拘束部７０および７０′との組み合わせにより、さらに別の利点がある。特に、伸張した歯６０が一度膜２０を拘束すると、歯６０はその後、後退し、組織拘束部７０および７０′と、摺動部材５０が伸縮する際に出入りするハンドル４０の端部で膜２０を持ち上げて挟持する。この挟持動作により、膜２０を除去するために第２の器具を眼の内部に導入する必要性がさらに低減される。さらに、歯６０をハンドル４０の内部に後退させることができるため、掻集器具１０が挿入される際、または眼から引き出される際に歯６０を後退させることによって、網膜３０の内表面と眼の他の部分が歯６０によって損傷を受ける可能性が低減される。
【００２６】
図９は、網膜３０の表面から膜２０を除去するための掻集器具１０の例を示す図である。図９の最も右側に示す掻集器具１０は、膜２０の縁部を拘束する組織拘束部７０および７０′を示す。図９に示すように、掻集器具１０の図の右から左への進行は、掻集器具１０をどのように使用して膜１０を引っ張りあげるかを示している。また、図９は、本発明の実施形態により、歯６０が屈曲する様子を示す。
【００２７】
図９に示す実施形態では、歯６０をハンドル４０から長く伸張すればするほど、歯６０が対象物に押し付けられたときにより屈折しやすくなる。歯６０の可撓性が増すことにより、掻集器具１０によって網膜３０の上表面にかかる圧力が小さくなる。例えば、ある実施形態では、歯６０が完全に伸張し、膜２０に接触すると、ハンドル４０は、網膜３０上に大きな、または顕著な力をかけることなく、網膜３０に向かって下方向に１ｍｍまで移動することができる。このような可撓性により、掻集器具１０の使用中に眼が損傷を受ける危険性が低減される。希望の硬さになるまで単に歯６０をハンドル４０の中に後退させることにより、歯６０の可撓性を低減させることができる、すなわち、希望の硬さになるまで単に歯６０をハンドル４０内部に後退させることで歯６０の硬さを増すことができる。
【００２８】
図１０は、膜２０の内表面に沿った一箇所において、その箇所に除去する膜２０の外縁が含まれていなくても、掻集器具１０が膜２０を拘束できることを示す図である。掻集器
具１０は、組織拘束部７０および７０′が膜２０の表面を拘束するまで膜２０の上表面に沿って引きずられる。組織拘束部７０および７０′が一度膜の表面を拘束したら、掻集器具１０を単に網膜３０の上表面から上方向および接線方向に離れる方向に引っ張って膜２０をそこから除去する。掻集器具１０が一度膜２０を拘束すると、それ以上網膜３０上には下方向に力がかからず、よって、眼に損傷を与える危険性が低減する。
【００２９】
本発明の実施例について、上記の利点に従ってこれまで説明してきたが、これらの例は、本発明の一例に過ぎない。本発明の範囲と精神にもとることなく、本発明のさまざま変形、変更が可能であることは当業者にとって明らかであろう。
【図面の簡単な説明】
【００３０】
【図１ａ】網膜から膜を除去するために使用する、従来の鋭利なピック装置を示す図である。
【図１ｂ】網膜から膜を除去するために使用する、従来の鋭利なピック装置を示す図である。
【図２】網膜から膜を除去するために使用する、従来のピンセット装置を示す図である。
【図３】網膜から膜を除去するために使用する、従来のスクレイパ装置を示す図である。
【図４】本発明の実施形態による掻集器具の断面図である。
【図５】図４に示す掻集器具の歯が、掻集器具のハンドルから伸張できる異なる状態を示す図である。
【図６】それぞれの歯の自由端に設けられた組織拘束部の一実施形態を示す図である。
【図７】それぞれの歯の自由端に設けられた組織拘束部の別の実施形態を示す図である。
【図８】眼の網膜から膜を除去するために使用する本発明の掻集器具によって生成される接線力および揚力を示す図である。
【図９】眼の網膜上の膜を拘束し、そこから膜を除去する掻集器具の異なる状態を示す図である。
【図１０】膜の周囲の縁部から離れた中間部において膜を拘束している掻集器具を示す図である。
【図１Ａ】
0004731565.tif 000002
【図１Ｂ】
0004731565.tif 000003
【図２】
0004731565.tif 000004
【図３】
0004731565.tif 000005
【図４】
0004731565.tif 000006
【図５】
0004731565.tif 000007
【図６ａ】
0004731565.tif 000008
0004731565.tif 000009
【図７】
0004731565.tif 000010
【図８】
0004731565.tif 000011
【図９】
0004731565.tif 000012
【図１０】
0004731565.tif 000013